(57)【特許請求の範囲】
【請求項１】
映像データおよび音声データを受信する受信部と、
前記映像データおよび前記音声データの受信に並行して、受信済みの前記映像データに基づく映像および受信済みの前記音声データに基づく音声を再生する再生部と、
再生した前記映像から、検索に用いる検索文字列候補を認識する認識部と、
再生した前記映像を表示部に表示させ、再生した前記音声をスピーカから出力させ、前記検索文字列候補を入力可能な検索条件として前記表示部に表示させ、前記映像が再生されている間に前記検索条件が入力された場合に前記検索条件に基づく検索結果を前記表示部に表示させ、前記検索条件が入力された場合または前記検索結果が表示された場合、少なくとも前記検索結果が表示されている間の少なくとも一部の期間、前記映像および前記音声の再生を停止し、前記検索結果の表示が終了した後、前記映像および前記音声の再生を停止した停止位置を基準にして前記映像および前記音声の再生を再開する表示制御部と、を備え、
前記表示制御部は、前記映像を前記表示部へ表示させるタイミングおよび前記音声を前記スピーカから出力させるタイミングを、当該映像から前記検索文字列候補を認識するのに要する時間遅延させる再生装置。
【請求項２】
前記認識部は、再生した前記映像に代えて再生した前記音声から、前記検索文字列候補を認識し、
前記表示制御部は、前記映像を前記表示部へ表示させるタイミングおよび前記音声を前記スピーカから出力させるタイミングを、当該音声から前記検索文字列候補を認識するのに要する時間遅延させる請求項１に記載の再生装置。
【請求項３】
前記受信部は、前記映像の再生が停止された場合、前記映像の再生を停止中に受信した前記映像データを記憶部に記憶させ、
前記再生部は、前記検索結果の表示が終了した後、前記記憶部に記憶された前記映像データに基づいて前記映像の再生を再開する請求項１または２に記載の再生装置。
【請求項４】
前記再生部は、前記記憶部に記憶された前記映像データに基づいて前記映像を再生する場合、前記記憶部に記憶された前記映像データに基づく前記映像を再生し終えるまで、通常の再生速度より速くかつ操作者が前記映像の内容を認識可能な第２の再生速度で再生する請求項３に記載の再生装置。
【請求項５】
前記表示制御部は、前記映像の再生が再開された前記映像データを受信してから当該映像データが再生されるまでの再生遅延時間を前記表示部に表示させる請求項３または４に記載の再生装置。
【請求項６】
再生装置で実行される再生方法であって、
前記再生装置は、
受信部が、映像データおよび音声データを受信する工程と、
再生部が、前記映像データおよび前記音声データの受信に並行して、受信済みの前記映像データに基づく映像および受信済みの前記音声データに基づく音声を再生する工程と、
認識部が、再生した前記映像から、検索に用いる検索文字列候補を認識する工程と、
表示制御部が、再生した前記映像を表示部に表示させ、再生した前記音声をスピーカから出力させ、前記検索文字列候補を入力可能な検索条件として前記表示部に表示させ、前記映像が再生されている間に前記検索条件が入力された場合に前記検索条件に基づく検索結果を前記表示部に表示させ、前記検索条件が入力された場合または前記検索結果の表示された場合、少なくとも前記検索結果が表示されている間の少なくとも一部の期間、前記映像および前記音声の再生を停止し、前記検索結果の表示が終了した後、前記映像および前記音声の再生を停止した停止位置を基準にして前記映像および前記音声の再生を再開する工程と、を含み、
前記表示制御部は、前記映像を前記表示部へ表示させるタイミングおよび前記音声を前記スピーカから出力させるタイミングを、当該映像から前記検索文字列候補を認識するのに要する時間遅延させる再生方法。
【発明の詳細な説明】
【技術分野】
【０００１】
本発明の実施形態は、再生装置および再生方法に関する。
【背景技術】
【０００２】
放送データから再生した映像や音声が出力されている際に、当該出力された映像や音声に関連する関連情報を調べるためにユーザにより当該関連情報の検索条件が入力された場合、インターネット上のウェブサイトにアクセスして、放送データから再生した映像や音声に関連する関連情報を表示する表示機器や表示方式が利用されている。
【先行技術文献】
【特許文献】
【０００３】
【特許文献１】特開２００６−２６２２４５号公報
【発明の概要】
【発明が解決しようとする課題】
【０００４】
ところで、放送データから再生した映像や音声の出力中にウェブサイトにアクセスして表示機器の画面全体に関連情報を表示すると、出力中の映像を見ることが困難な場合があり、関連情報が表示されている間に出力された映像を視聴することができない。そのため、表示機器に表示された関連情報を確認した後に、再生を停止した位置からの映像や音声の再生を再開させるための操作や関連情報を確認している間の放送データを録画するための操作等が必要となり利便性が低い、という課題がある。また、放送データから再生した映像を縮小して表示機器の画面に表示するとともに、当該縮小した映像の周囲（表示機器の画面において当該縮小した映像が表示されていない領域）に関連情報を表示することも可能であるが、放送データから再生した映像と同時に関連情報を見ることは困難である。特に、関連情報の中に映像が存在する場合には、放送データから再生した映像と同時に関連情報を見ることは困難である。
【０００５】
本発明は、上記に鑑みてなされたものであって、再生した映像に関連する情報を検索する際の利用者の利便性を向上させる再生装置および再生方法を提供することを目的とする。
【課題を解決するための手段】
【０００６】
実施形態の再生装置は、受信部と、再生部と、認識部と、表示制御部と、を備える。受信部は映像データおよび音声データを受信する。再生部は、映像データおよび音声データの受信に並行して、受信済みの映像データに基づく映像をおよび受信済みの音声データに基づく音声を再生する。認識部は、再生した映像から、検索に用いる検索文字列候補を認識する。表示制御部は、再生した映像を表示部に表示させ、再生した音声をスピーカから出力させ、検索文字列候補を入力可能な検索条件として表示部に表示させ、映像が再生されている間に検索条件が入力された場合に検索条件に基づく検索結果を表示部に表示させ、検索条件が入力された場合または検索結果が表示された場合、少なくとも検索結果が表示されている間の少なくとも一部の期間、映像および音声の再生を停止し、検索結果の表示が終了した後、映像および音声の再生を停止した停止位置を基準にして映像および音声の再生を再開する。また、表示制御部は、映像を表示部へ表示させるタイミングおよび音声をスピーカから出力させるタイミングを、当該映像から検索文字列候補を認識するのに要する時間遅延させる。
【図面の簡単な説明】
【０００７】
【図１】図１は、本実施形態にかかる再生装置および再生方法を適用したテレビジョン受像機の構成を示すブロック図である。
【図２】図２は、本実施形態にかかるテレビジョン受像機においてコンテンツに含まれる映像データを再生する処理の流れを示すフローチャートである。
【図３】図３は、本実施形態にかかるテレビジョン受像機の表示部に表示される画面の一例を示す図である。
【図４】図４は、本実施形態にかかるテレビジョン受像機の表示部に表示される画面の一例を示す図である。
【図５】図５は、本実施形態にかかるテレビジョン受像機の表示部に表示される画面の一例を示す図である。
【図６】図６は、本実施形態にかかるテレビジョン受像機の表示部に表示される画面の一例を示す図である。
【発明を実施するための形態】
【０００８】
本実施形態にかかる再生装置としてのテレビジョン受像機について説明する。図１は、本実施形態にかかる再生装置および再生方法を適用したテレビジョン受像機の構成を示すブロック図である。
【０００９】
テレビジョン受像機１０１は、放送局１０２やＷｅｂサーバ１０３等から送信されるコンテンツを受信し、受信したコンテンツから映像や音声を再生する再生装置である。また、テレビジョン受像機１０１は、リモートコントローラ、キーボード、マウス、タッチパッド等の入力部１０４から入力される制御信号によって制御される。
【００１０】
本実施形態では、テレビジョン受像機１０１は、映像／音声受信部１０５、映像／音声認識部１０７、ブラウザ１０８、記憶部１０９、遅延バッファ１１１、映像表示制御部１１２、合成部１１３、再生部１１４および出力部１１５を備えている。
【００１１】
映像／音声受信部１０５は、放送局１０２またはＷｅｂサーバ１０３等の外部機器からコンテンツを受信する。ここで、コンテンツには、映像データ（映像ストリーム）、音声データ等が含まれる。本実施形態では、映像／音声受信部１０５は、コンテンツを記憶するＷｅｂサーバ１０３に対してコンテンツの送信を指示する送信信号を送信するとともに、当該送信信号に応じてＷｅｂサーバ１０３から送信されたコンテンツを受信するビデオ・オン・デマンド機能を有している。また、映像／音声受信部１０５は、放送局１０２から一方的かつ同時に不特定多数の受信先に向けて送信されたコンテンツを受信するライブ放送受信機能を有している。
【００１２】
再生部１１４は、映像／音声受信部１０５によるコンテンツの受信に並行して、受信済みのコンテンツに含まれる映像データに基づく映像を再生する。また、再生部１１４は、映像／音声受信部１０５によるコンテンツの受信に並行して、受信済みのコンテンツに含まれる音声データに基づく音声を再生する。
【００１３】
本実施形態では、再生部１１４は、受信済みのコンテンツに含まれる映像データおよび音声データをデコードすることにより映像および音声を生成（再生）する複数のデコーダ（第１映像／音声デコーダ１０６、第２映像／音声デコーダ１１０）を備えている。再生部１１４は、映像／音声受信部１０５によるコンテンツの受信状況に応じて、第１映像／音声デコーダ１０６および第２映像／音声デコーダ１１０の両方または一方を用いて映像および音声を生成する。
【００１４】
例えば、再生部１１４は、放送局１０２から受信したコンテンツに含まれる映像データおよび音声データをデコードする場合、デコードする映像データおよび音声データのビットレートが予め設定されているため、遅延バッファ１１１がどの程度のサイズの記憶容量を有していれば、生成した映像および音声と当該生成した映像および音声から認識され検索に用いられる検索文字列候補とを同時に出力できるかを推定することができる。そのため、再生部１１４は、放送局１０２から受信したコンテンツに含まれる映像データおよび音声データをデコードする場合には、第２映像／音声デコーダ１１０を用いて、放送局１０２から受信したコンテンツをデコードして映像および音声を生成して、生成した映像および音声を遅延バッファ１１１に記憶させる。
【００１５】
一方、再生部１１４は、Ｗｅｂサーバ１０３から受信したコンテンツに含まれる映像データおよび音声データをデコードする場合、様々な解像度やビットレートの映像データおよび音声データをデコードしなければならず、受信するコンテンツに含まれる映像データおよび音声データに応じて遅延バッファ１１１のサイズの変更など、遅延バッファ１１１の管理が複雑になる。そこで、本実施形態では、再生部１１４は、２つのデコーダ（第１映像／音声デコーダ１０６および第２映像／音声デコーダ１１０）を、表示部１１５Ａ（図３参照）に表示するための表示用の映像および音声を生成するデコーダ（第２映像／音声デコーダ１１０）と、検索文字列候補を認識するための認識用の映像および音声を生成するデコーダ（第１映像／音声デコーダ１０６）と、に分ける。そして、再生部１１４は、映像／音声受信部１０５を制御して、表示用の映像および音声の生成に用いるコンテンツと認識用の映像および音声の生成に用いるコンテンツとを時間差を設けてＷｅｂサーバ１０３から受信する。つまり、再生部１１４は、映像／音声受信部１０５を制御して、表示用の映像および音声の生成に用いるコンテンツの受信に先立って、認識用の映像および音声の生成に用いるコンテンツを受信する。これにより、遅延バッファ１１１を用いなくても、生成した映像および音声と検索文字列候補とを同時に出力することができる。
【００１６】
また、２つのデコーダを用いて映像および音声を生成する場合、認識用の映像および音声自体を出力する必要がないため、再生部１１４は、ビデオ・オン・デマンド機能によりＷｅｂサーバ１０３からコンテンツを受信する際、映像／音声受信部１０５を制御して、複数の解像度やビットレートやコーデックのコンテンツのうち、デコーダへの負荷が小さいコーデックのコンテンツを受信することにより、デコーダへの負荷を軽減することができる。
【００１７】
映像／音声認識部１０７は、再生部１１４による再生結果から、検索に用いる検索文字列候補を認識する認識部として機能する。本実施形態では、映像／音声認識部１０７は、映像／音声受信部１０５によって放送局１０２からコンテンツを受信している場合、第２映像／音声デコーダ１１０によって生成され遅延バッファ１１１に記憶された映像および音声から、検索文字列候補を認識する。一方、映像／音声認識部１０７は、映像／音声受信部１０５によってＷｅｂサーバ１０３からコンテンツを受信している場合、第１映像／音声デコーダ１０６によって生成された映像および音声から、検索文字列候補を認識する。具体的には、映像／音声認識部１０７は、映像から検索文字列候補を認識する場合には、映像に含まれる文字を検索文字列候補として画像認識し、音声から検索文字列候補を認識する場合には、音声から検索文字列候補を音声認識する。
【００１８】
ブラウザ１０８は、インターネット上の情報の閲覧に利用されるＷｅｂブラウザである。また、ブラウザ１０８は、映像／音声認識部１０７により認識された検索文字列候補を入力可能な検索条件として表示部１１５Ａ（図３参照）に表示させる。また、ブラウザ１０８は、表示部１１５Ａに表示した検索文字列候補の中からユーザにより検索文字列候補が選択（入力）された場合に、Ｗｅｂサーバ１０３にアクセスして当該選択された検索文字列候補に基づく検索結果を表示部１１５Ａ（図３参照）に表示させる。
【００１９】
本実施形態では、ブラウザ１０８は、映像／音声認識部１０７により認識された検索文字列候補の中からユーザにより選択された検索文字列候補を検索条件として、当該検索条件に基づく検索結果を表示部１１５Ａに表示しているが、これに限定するものではない。例えば、ブラウザ１０８は、入力部１０４から検索条件が入力された場合に、当該入力部１０４から入力された検索条件に基づく検索結果を出力部１１５に出力しても良い。
【００２０】
映像表示制御部１１２は、再生部１１４によって再生された映像を表示部１１５Ａ（図３参照）に表示させる。また、映像表示制御部１１２は、再生部１１４によって再生された音声を出力部１１５に出力させる。本実施形態では、映像表示制御部１１２は、第２映像／音声デコーダ１１０により生成された映像および音声を出力部１１５に出力する。映像／音声受信部１０５が放送局１０２からコンテンツを受信している場合には、遅延バッファ１１１に記憶された映像および音声を出力部１１５に出力する。
【００２１】
一方、映像／音声受信部１０５がＷｅｂサーバ１０３からコンテンツを受信している場合、表示用の映像および音声の生成に用いるコンテンツと認識用の映像および音声の生成に用いるコンテンツとが時間差を設けて受信されるため、映像表示制御部１１２は、遅延バッファ１１１を介さず、第２映像／音声デコーダ１１０により生成された映像および音声を出力部１１５に出力する。
【００２２】
遅延バッファ１１１は、再生部１１４により再生された映像および音声を、映像表示制御部１１２によって出力部１１５に出力するタイミングを、再生部１１４により再生された映像および音声から検索文字列候補を認識するのに要する時間（以下、遅延時間）分遅らせる。これにより、再生部１１４により再生された映像および音声の出力部１１５への出力に同期して、当該映像および音声から認識された検索文字列候補を出力部１１５に出力することができる。つまり、遅延バッファ１１１は、映像／音声認識部１０７により認識された検索文字列候補の出力部１１５への出力に同期して、当該検索文字列候補が認識された映像を出力部１１５に出力させる制御部として機能する。なお、遅延時間は、映像／音声認識部１０７によって、再生された映像および音声から検索文字列候補を認識するのに要する時間に応じて設定される。
【００２３】
記憶部１０９は、例えばＨＤＤ（Hard  Disk  Drive）等により構成され、映像／音声受信部１０５によって放送局１０２から受信したコンテンツを記憶する。本実施形態では、記憶部１０９は、映像／音声受信部１０５により放送局１０２からのコンテンツの受信が行われている間に再生部１１４による再生が停止した場合に、再生が停止している間に受信したコンテンツを記憶する機能（タイムシフト機能）を実現する。タイムシフト機能により記憶部１０９にコンテンツが記憶された場合、再生部１１４（第２映像／音声デコーダ１１０）は、記憶部１０９に記憶されたコンテンツに含まれる映像データおよび音声データに基づく映像および音声を再生する。これにより、テレビジョン受像機１０１のユーザは、放送局１０２から受信したコンテンツの再生を再開した場合に、停止中に受信したコンテンツに含まれる映像データおよび音声データに基づく映像および音声を視聴することができる。
【００２４】
また、本実施形態では、再生が停止している間に受信したコンテンツをテレビジョン受像機１０１が備える記憶部１０９に記憶させているが、これに限定するものではなく、例えば、インターネット上のサービスであるクラウドに、再生が停止している間に受信したコンテンツを記憶させても良い。
【００２５】
合成部１１３は、ブラウザ１０８から出力された検索文字列候補（検索条件）または検索結果と、映像表示制御部１１２から出力された映像と、を合成して出力部１１５に出力する。
【００２６】
出力部１１５は、例えばＬＣＤ（Liquid  Crystal  Display）等により構成される表示部１１５Ａ（図３参照）、スピーカなどを備える。表示部１１５Ａは、ブラウザ１０８から出力された検索文字列候補（検索条件）または検索結果、および映像表示制御部１１２から出力された映像を表示する。スピーカは、映像表示制御部１１２から出力された音声を音として出力する。
【００２７】
次に、図２〜６を用いて、映像／音声受信部１０５により受信したコンテンツに含まれる映像データを再生する処理の流れについて説明する。図２は、本実施形態にかかるテレビジョン受像機においてコンテンツに含まれる映像データを再生する処理の流れを示すフローチャートである。
【００２８】
映像／音声受信部１０５によってコンテンツの受信が開始されると（ステップＳ２０１：Ｙｅｓ）、再生部１１４は、受信したコンテンツに含まれる映像データに基づく映像を再生する（ステップＳ２０２）。受信したコンテンツに音声データが含まれる場合には、再生部１１４は、当該受信したコンテンツに含まれる音声データに基づく音声を再生する。
【００２９】
本実施形態では、再生部１１４による映像の再生が開始されると、映像／音声認識部１０７は、再生部１１４による再生結果から検索文字列候補を認識する。そして、ブラウザ１０８は、合成部１１３を介して、認識された検索文字列候補を入力可能な検索条件として表示部１１５Ａに表示させる。また、映像表示制御部１１２は、合成部１１３を介して、再生部１１４に再生された映像を出力部１１５に出力させる。
【００３０】
図３は、本実施形態にかかるテレビジョン受像機の表示部に表示される画面の一例を示す図である。図３に示すように、映像表示制御部１１２およびブラウザ１０８は、再生部１１４による映像の再生が開始されると、再生部１１４により再生された映像３０１が映像表示領域３０４に表示されるとともに、映像／音声認識部１０７により認識された検索文字列候補３０２（例えば、検索文字列Ａ〜Ｆなど）および当該検索文字列候補３０２を識別する識別番号３０３が検索条件表示領域３０５に表示された表示画面１１５Ｂを、表示部１１５Ａに表示させる。テレビジョン受像機１０１のユーザは、表示画面１１５Ｂに含まれる検索文字列候補３０２のうち検索条件として入力する検索文字列候補３０２の識別番号３０３を入力部１０４から入力することにより、検索文字列候補３０２を選択することができる。
【００３１】
また、ブラウザ１０８は、映像／音声認識部１０７により認識された検索文字列候補３０２を表示部１１５Ａに表示する際、表示部１１５Ａに表示されている映像３０１と関連度が高い検索文字列候補３０２を上位に表示するものとする。ここで、関連度は、映像３０１との関連を表わすものであり、映像／音声認識部１０７によって映像３０１から検索文字列候補３０２が繰り返し認識された回数、映像／音声認識部１０７によって認識された検索文字列候補３０２のうち類似する検索文字列候補の数等によって算出される。若しくは、ブラウザ１０８は、表示されている映像３０１の基となるコンテンツのメタ情報（例えば、番組名、放送局名、出演者名、時刻など）を利用して、表示されている映像３０１と認識された検索文字列候補３０２との関連度を当該検索文字列候補３０２毎に算出しても良い。そして、ブラウザ１０８は、算出した関連度が高い検索文字列候補３０２から順に表示部１１５Ａに表示する。そして、ブラウザ１０８は、表示部１１５Ａに表示されている映像３０１が時間経過に伴い変化すると、表示部１１５Ａに表示されている検索文字列候補３０２も変化させていくものとする。
【００３２】
本実施形態では、ブラウザ１０８は、表示部１１５Ａに表示されている映像３０１と関連度が高い検索文字列候補３０２から順に表示部１１５Ａに表示しているが、これに限定するものではない。例えば、ブラウザ１０８は、映像／音声認識部１０７により認識された順に検索文字列候補３０２を表示部１１５Ａに表示させても良い。
【００３３】
図２に戻り、映像表示制御部１１２は、映像を再生している間、検索条件が入力されたか否かを判断する（ステップＳ２０３）。本実施形態では、映像表示制御部１１２は、表示部１１５Ａに表示した検索文字列候補３０２のうち、入力部１０４から検索文字列候補３０２を識別する識別番号３０３が入力された場合に、検索条件が入力されたと判断する。
【００３４】
検索条件が入力されると（ステップＳ２０３：Ｙｅｓ）、映像表示制御部１１２は、受信したコンテンツに含まれる映像データに基づく映像の再生を停止する（ステップＳ２０４）。受信したコンテンツに音声データが含まれる場合には、映像表示制御部１１２は、当該受信したコンテンツに含まれる音声データに基づく音声の再生も停止する。
【００３５】
ここで、映像表示制御部１１２が再生を停止した映像データを含むコンテンツが放送局１０２から受信したコンテンツである場合、再生を停止している間に放送局１０２からのコンテンツの送信が終了してしまい、再生を停止している間に放送局１０２から送信されたコンテンツを視聴することができなくなる。そのため、再生部１１４による再生が停止した場合、映像／音声受信部１０５は、映像の再生が停止中に放送局１０２から受信したコンテンツを記憶部１０９に記憶させるタイムシフト機能を実行する。これにより、再生部１１４による再生が再開された場合に、記憶部１０９に記憶されたコンテンツに含まれる映像データに基づく映像を再生することにより、再生を停止している間に放送局１０２から送信されたコンテンツを視聴することができる。
【００３６】
一方、映像表示制御部１１２が再生を停止した映像データを含むコンテンツがＷｅｂサーバ１０３から受信したコンテンツである場合、映像／音声受信部１０５は、再生部１１４による再生が停止した際にＷｅｂサーバ１０３にコンテンツの送信停止を指示する送信信号を送信することによりコンテンツの送信を停止させ、再生部１１４による再生が再開された際にＷｅｂサーバ１０３にコンテンツの送信を指示する送信信号を送信することによりコンテンツを送信させる。したがって、再生部１１４が再生を停止した映像データを含むコンテンツがＷｅｂサーバ１０３から受信したコンテンツである場合には、映像／音声受信部１０５は、Ｗｅｂサーバ１０３から受信したコンテンツを記憶部１０９に記憶させる必要がない。
【００３７】
また、映像表示制御部１１２およびブラウザ１０８は、図４に示すように、検索条件が入力されると、再生を停止した時点で表示部１１５Ａに表示されていた映像３０１が映像表示領域３０４に表示され、入力された検索条件に基づく検索結果４０１が検索結果表示領域４０２に表示された表示画面１１５Ｂを、表示部１１５Ａに表示させる。また、映像表示制御部１１２およびブラウザ１０８は、図５に示すように、再生を停止した時点で表示部１１５Ａに表示されていた映像３０１を含まず、検索結果表示領域４０２が全面に配置された表示画面１１５Ｂを、表示部１１５Ａに表示させても良い。さらに、映像表示制御部１１２およびブラウザ１０８は、図４および図６に示すように、再生を停止した時点で表示部１１５Ａに表示されていた映像表示領域３０４と検索結果表示領域４０２の表示領域との割合を任意に変更することも可能である。
【００３８】
本実施形態では、映像表示制御部１１２およびブラウザ１０８は、映像が再生されている間に検索条件が入力された場合に、再生部１１４による映像の再生を停止しているが、少なくとも検索結果が表示されている間、再生部１１４による映像の再生を停止するものであれば、これに限定するものではない。例えば、映像表示制御部１１２およびブラウザ１０８は、検索条件が入力された場合または検索結果が表示された際に、再生部１１４による映像の再生を停止しても良い。本実施形態において、検索結果が表示された際とは、検索結果の表示が開始され時点である。また、映像表示制御部１１２およびブラウザ１０８は、検索条件が入力された当該検索条件に基づく検索処理が行われた場合に、再生部１１４による映像の再生を停止しても良い。
【００３９】
さらに、本実施形態では、映像表示制御部１１２およびブラウザ１０８は、検索結果が表示されている間、再生部１１４による映像の再生を停止し続けているが、検索結果が表示されている間の少なくとも一部の期間、再生部１１４による映像の再生を停止するものであれば良い。例えば、映像表示制御部１１２およびブラウザ１０８は、検索結果の表示が開始された後、所定時間経過後（例えば、２秒後など）に、再生部１１４による映像の再生を停止するようにしても良い。
【００４０】
図２に戻り、ブラウザ１０８によって検索結果が表示部１１５Ａに表示されている間、再生部１１４は、検索結果の表示が終了したか否かを判断する（ステップＳ２０５）。本実施形態では、再生部１１４は、入力部１０４から入力される制御信号により、検索結果の表示の終了が指示された場合に、検索結果の表示が終了したと判断する。
【００４１】
そして、検索結果の表示が終了した後（ステップＳ２０５：Ｙｅｓ）、再生部１１４は、映像の再生を停止した停止位置を基準にして映像の再生を再開する（ステップＳ２０６）。映像の再生を停止しているコンテンツが音声データを含むものである場合には、再生部１１４は、音声の再生を停止した停止位置を基準にして音声の再生を再開する。本実施形態では、再生部１１４は、映像の再生を停止した停止位置よりも所定時間前の位置から映像の再生を再開する。これにより、映像の再生を停止した停止位置における映像の内容をユーザが忘れてしまったとしても、当該停止位置から遡った位置から映像を再度確認できるので、映像の内容を思い出しながら映像を見ることができる。また、本実施形態では、再生部１１４は、映像の再生を停止した停止位置よりも所定時間前の位置から映像の再生を再開しているが、これに限定するものではなく、当該停止位置から映像の再生を再開するようにしても良い。
【００４２】
具体的には、再生部１１４は、映像の再生を停止しているコンテンツが放送局１０２から受信したコンテンツである場合には、映像の再生を停止している間に記憶部１０９に記憶されたコンテンツに含まれる映像データに基づいて映像の再生を再開する。これにより、再生を停止している間に放送局１０２から送信されたコンテンツを視聴することができる。また、再生部１１４は、記憶部１０９に記憶された映像データに基づいて映像を再生する場合、記憶部１０９に記憶された映像データに基づく映像の再生を終えるまで、コンテンツ（映像データ）の受信に同期して映像を再生する通常の再生速度より速くかつユーザ（操作者）が映像の内容を認識可能な第２の再生速度（例えば、１．２倍速など）で、記憶部１０９に記憶された映像データに基づく映像を再生する。これにより、放送局１０２から受信したコンテンツに含まれる映像データに基づく映像の再生を再開した際に、再生部１１４により再生されている映像と、放送局１０２から現在受信しているコンテンツに含まれる映像データに基づく映像との時間的なズレを徐々に短くすることができる。さらに、映像表示制御部１１２は、再生部１１４による映像の再生が再開された際、映像の再生が再開された映像データ（コンテンツ）を受信してから当該映像データが再生されるまでの時間（再生遅延時間）を表示部１１５Ａに表示させても良い。これにより、テレビジョン受像機１０１のユーザは、現在視聴している映像が放送局１０２から送信されてからどのくらい遅れて再生されたものかを把握することができる。
【００４３】
一方、再生部１１４は、映像の再生を停止しているコンテンツがＷｅｂサーバ１０３から受信したコンテンツである場合には、映像／音声受信部１０５を制御して、再生を停止した停止位置を基準としてコンテンツの受信を再開させることにより、当該停止位置を基準として映像の再生を再開する。
【００４４】
次いで、再生部１１４は、映像／音声受信部１０５によるコンテンツの受信が終了したか否かを判断する（ステップＳ２０７）。コンテンツの受信が継続して行われている場合（ステップＳ２０７：Ｎｏ）、再生部１１４は、ステップＳ２０３に戻る。一方、コンテンツの受信が終了した場合（ステップＳ２０７：Ｙｅｓ）、再生部１１４は、コンテンツの再生を停止する（ステップＳ２０８）。その際、再生部１１４は、再生している映像の基となる映像データが記憶部１０９に記憶されたコンテンツに含まれるものである場合には、記憶部１０９に記憶されたコンテンツに含まれる映像データに基づく映像の再生が完了するまで再生を継続する。
【００４５】
なお、本実施形態では、映像表示制御部１１２は、検索条件が入力されると、受信したコンテンツに含まれる映像データに基づく映像の再生を停止しているが、検索条件が入力された場合に映像の再生を停止するか否かを任意に設定可能な構成としても良い。
【００４６】
このように本実施形態にかかるテレビジョン受像機１０１によれば、放送局１０２やＷｅｂサーバ１０３等から映像データを受信し、映像データの受信に並行して、受信済みの映像データに基づく映像を再生し、再生した映像を表示部に表示させ、映像の再生されている間に検索に用いる検索条件が入力された場合に当該検索条件に基づく検索結果を表示部に表示させ、少なくとも検索結果が表示されている間の少なくとも一部の期間、映像の再生を停止することにより、検索条件が入力された場合に自動的に映像データに基づく映像の再生が停止され利用者が映像の再生を停止する操作を行う必要がないので、利用者の利便性を向上させることができる。
【００４７】
なお、本実施形態のテレビジョン受像機１０１で実行されるプログラムは、ＲＯＭ（Read  Only  Memory）等に予め組み込まれて提供される。本実施形態のテレビジョン受像機１０１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４８】
さらに、本実施形態のテレビジョン受像機１０１で実行されるプログラムを、インターネット等のネットワークに接続されたコンピュータ上に格納し、ネットワーク経由でダウンロードさせることにより提供するように構成しても良い。また、本実施形態のテレビジョン受像機１０１で実行されるプログラムをインターネット等のネットワーク経由で提供または配布するように構成しても良い。
【００４９】
本実施形態のテレビジョン受像機１０１で実行されるプログラムは、上述した各部（映像／音声受信部１０５、再生部１１４、映像／音声認識部１０７、ブラウザ１０８、映像表示制御部１１２）を含むモジュール構成となっており、実際のハードウェアとしてはＣＰＵ（プロセッサ）が上記ＲＯＭからプログラムを読み出して実行することにより上記各部が主記憶装置上にロードされ、映像／音声受信部１０５、再生部１１４、映像／音声認識部１０７、ブラウザ１０８、映像表示制御部１１２が主記憶装置上に生成されるようになっている。
【００５０】
以下の説明では、本実施形態にかかる再生装置および再生方法をテレビジョン受像機１０１に適用した例について説明するが、ハードディスクレコーダ等にも適用することができる。
【００５１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５２】
１０１・・・テレビジョン受像機、１０５・・・映像／音声受信部、１０７・・・映像／音声認識部、１０８・・・ブラウザ、１０９・・・記憶部、１１１・・・遅延バッファ、１１２・・・映像表示制御部、１１４・・・再生部、１１５・・・出力部、１１５Ａ・・・表示部。
【要約】
【課題】再生した映像に関連する情報を検索する際の利用者の利便性を向上させる再生装置および再生方法を提供する。
【解決手段】実施形態の再生装置は、受信部と、再生部と、表示制御部と、を備える。受信部は、映像データを受信する。再生部は、映像データの受信に並行して、受信済みの映像データに基づく映像を再生する。表示制御部は、再生した映像を表示部に表示させ、映像の再生されている間に検索に用いる検索条件が入力された場合に検索条件に基づく検索結果を表示部に表示させ、少なくとも前記検索結果が表示されている間の少なくとも一部の期間、映像の再生を停止する。
【選択図】図１【図１】
0005355749.tif 000002
【図２】
0005355749.tif 000003
【図３】
0005355749.tif 000004
【図４】
0005355749.tif 000005
【図５】
0005355749.tif 000006
【図６】
0005355749.tif 000007